(57)【要約】【課題】  車両に設けられた物入れにおける蓋の開閉に応じて物入れ内で点灯・消灯できるとともに、物入れから外部にランプを取り出して懐中電灯として使用することができる車両用照明装置を提供する。【解決手段】  コンソールボックス１０の側壁１１に設けられたランプホルダ１５にはランプ１６が着脱可能に保持される。ランプ１６には、コンソールボックス１０の蓋１３の開閉によってオン・オフ操作されるとともに、ランプホルダ１５から取り外された状態において人手によって直接オン・オフ操作されるスイッチ２２が設けられている。【選択図】      図１
2005082134.tif 000002
【特許請求の範囲】
【請求項１】
車両に設けられた物入れ内に配置されるランプホルダと、
このランプホルダに対し着脱自在に保持されるランプとを備え、
このランプには、前記ランプホルダにランプが保持された状態で、前記物入れに設けられた蓋が開閉されることによってオン・オフ操作される第１スイッチと、前記ランプホルダからランプが取り外された状態で、人手によって直接オン・オフ操作される第２スイッチとを設けたことを特徴とする車両用照明装置。
【請求項２】
前記ランプを、前記第１スイッチが前記蓋の開閉によってオン・オフ操作される位置に位置決めした状態で前記ランプホルダに保持させる位置決め手段を設けたことを特徴とする請求項１に記載の車両用照明装置。
【請求項３】
前記第１スイッチと前記第２スイッチとは１つのスイッチであって、前記蓋の開閉と人手とによって共通にオン・オフ操作されるスイッチ操作部を有することを特徴とする請求項１又は請求項２に記載の車両用照明装置。
【発明の詳細な説明】
【技術分野】
【０００１】
本発明は、車両に設けられた物入れ内部にランプを装備した車両用照明装置に関するものであって、ランプを物入れから外部に取り出して使用できる車両用照明装置に関するものである。
【背景技術】
【０００２】
従来、車両の物入れ内部に装備される車両用照明装置として、収容ボックス内を照明するランプの点灯・消灯が、収容ボックスの側壁に設けたスイッチを操作することで行われるようにしたものがある（例えば、特許文献１参照。）。
【０００３】
また、ランプを取り外して使用できるものとしては、車室の天井に固定されたランプベースに、ランプを着脱可能に固定するものがある（例えば、特許文献２参照。）。ランプの点灯・消灯は、ランプに設けられたスイッチをオン・オフすることで行われる。
【特許文献１】実開昭６−７４５０４号公報
【特許文献２】特開２００１−３９２１５号公報
【発明の開示】
【発明が解決しようとする課題】
【０００４】
ところで、上記特許文献１に記載された発明は、単に収容ボックス内に設けたランプを点灯・消灯させるだけのものである。このため、ランプの照明は、ほぼ収容ボックス内に限られる。
【０００５】
また、上記特許文献２に記載された発明は、ランプの点灯・消灯を人手で行うものであるため、例えば、グローブボックス内に設けて、その蓋の開閉に応じて点灯・消灯させることはできない。
【０００６】
本発明の目的は、車両に設けられた物入れにおける蓋の開閉に応じて物入れ内で点灯・消灯できるとともに、物入れから外部にランプを取り出して懐中電灯として使用することができる車両用照明装置を提供することにある。
【課題を解決するための手段】
【０００７】
上記課題を解決するため、請求項１に記載の発明は、車両に設けられた物入れ内に配置されるランプホルダと、このランプホルダに対し着脱自在に保持されるランプとを備え、このランプには、前記ランプホルダにランプが保持された状態で、前記物入れに設けられた蓋が開閉されることによってオン・オフ操作される第１スイッチと、前記ランプホルダからランプが取り外された状態で、人手によって直接オン・オフ操作される第２スイッチとを設けたことを特徴とする。
【０００８】
従って、請求項１に記載の発明によれば、物入れ内のランプホルダにランプを保持させた状態で、物入れの蓋を開閉すると、第１スイッチがオン・オフ操作されてランプが点灯・消灯する。また、ランプをランプホルダから取り外した状態で、第２スイッチを人手によって直接オン・オフ操作するとランプが点灯・消灯する。
【０００９】
請求項２に記載の発明は、請求項１に記載の発明において、前記ランプを、前記第１スイッチが前記蓋の開閉によってオン・オフ操作される位置に位置決めした状態で前記ランプホルダに保持させる位置決め手段を設けたことを特徴とする。
【００１０】
従って、請求項２に記載の発明によれば、一旦取り外したランプをランプホルダに戻すときに、蓋の開閉によってランプが点灯・消灯する正しい位置にランプを容易に位置決めすることができるので使い勝手が良い。
【００１１】
請求項３に記載の発明は、請求項１又は請求項２に記載の発明において、前記第１スイッチと前記第２スイッチとは１つのスイッチであって、前記蓋の開閉と人手とによって共通にオン・オフ操作されるスイッチ操作部を有することを特徴とする。
【００１２】
従って、請求項３に記載の発明によれば、ランプに１つのスイッチ操作部のみが設けられるので、ランプホルダから取り外した状態においてランプのオン・オフ操作を間違えることがない。
【発明の効果】
【００１３】
車両に設けられた物入れにおける蓋の開閉に応じて物入れ内で点灯・消灯できるとともに、物入れから外部にランプを取り出して懐中電灯として使用することができる車両用照明装置を提供することができる。
【発明を実施するための最良の形態】
【００１４】
以下、本発明を、具体化した一実施形態を図１〜図６に従って説明する。
図２に示すように、車両の車室内に設けられた物入れとしてのコンソールボックス１０において、その両側壁１１のうちの一方の内面１１ａには照明装置１２が設けられている。また、コンソールボックス１０の蓋１３の下側には、蓋１３の開閉に応じて照明装置１２をオン・オフするためのピン１４が設けられている。
【００１５】
照明装置１２は、側壁１１に固定された一対のランプホルダ１５と、このランプホルダ１５に着脱可能に保持されるランプ１６とからなる。各ランプホルダ１５は合成樹脂で一体成形され、図４に示すように、側壁１１に固定される基部１７に、一対の挟持片１８ａ，１８ｂを備えている。両挟持片１８ａ，１８ｂの間には、平坦な位置決め面１９が設けられている。一方、ランプ１６は、図３に示すように、略円柱状の胴部２０を有している。胴部２０の一端側には発光部２１が設けられ、他端側にはスイッチ２２が設けられている。胴部２０内には電源としての図示しない電池が収容され、発光部２１内には図示しない光源としてのＬＥＤが配置されている。本実施形態では、スイッチ２２が第１スイッチ及び第２スイッチを構成している。
【００１６】
スイッチ２２は、図５（ａ），（ｂ）に示すように、胴部２０の周壁２０ａ上に設けられた外溝２３内に配置されるスイッチ操作部としてのスイッチ操作体２４を備えている。外溝２３の一端側には、貫通孔２５が設けられ、残りの部分には、外溝２３の内面に沿って延出された張り出し部２６が設けられている。張り出し部２６の内周縁は、内溝２６ａを形成している。スイッチ操作体２４は、外溝２３内に配置された押圧部２７と、内溝２６ａに沿って移動可能な軸部２８と、胴部２０の内側に配置される係止部２９と、係止部２９に対して軸部３０を介して一体形成された切換部３１とからなる。
【００１７】
スイッチ操作体２４は、図６（ａ）に示すように、切換部３１の下面に当接する支持バネ３２のバネ力により上向きに付勢され、この付勢により、係止部２９が張り出し部２６の内面及び胴部２０の周壁２０ａの内面２０ｂに当接し、この当接状態では、押圧部２７の上部が外溝２３から上部に突出される。
【００１８】
このとき、切換部３１の上面には、バネ性を有する第１端子３３が係合していて、スイッチ操作体２４が図６（ａ）に示すように貫通孔２５側に位置したときに、第１端子３３を撓ませて第２端子３４に当接させる。第１端子３３及び第２端子３４は、電池の正極又は負極とＬＥＤとを接続する回路上において、この回路の開閉を行う。
【００１９】
また、スイッチ操作体２４は、図６（ｂ）に示すように、押圧部２７が貫通孔２５に配置された状態で前記ピン１４によって下方に押し下げられる。このとき、第１端子３３は自身の弾性により下方の元の位置に復帰し、第１端子３３と第２端子３４との当接状態を解除する。
【００２０】
さらに、スイッチ操作体２４は、図６（ｃ）に示すように、押圧部２７が張り出し部２６側に配置されたときに、押圧部２７と係止部２９とで張り出し部２６を挟持した状態となり、支持バネ３２を下方に撓ませた状態を維持する。このとき、スイッチ操作体２４は、第１端子３３を下方の位置に復帰させたままとし、第１端子３３と第２端子３４との当接状態を解除したままとする。
【００２１】
また、図３に示すように、胴部２０の周壁２０ａには、その軸線方向において離間した２位置に、平坦面３５を有する係合凹部３６がそれぞれ設けられている。本実施形態では、ランプホルダ１５の基部１７（位置決め面１９）と、ランプ１６の係合凹部３６（平坦面３５）とが位置決め手段を構成する。
【００２２】
次に、以上のように構成された本実施形態の作用について説明する。
ランプ１６を懐中電灯として使用しない通常時には、図２に示すように、ランプ１６の胴部２０を一対の挟持片１８ａ，１８ｂにそれぞれ挟持させることでランプ１６をランプホルダ１５に保持させる。このとき、図４に示すように、各係合凹部３６の平坦面３５を各ランプホルダ１５の位置決め面１９にそれぞれ当接させることで、ランプ１６をその軸線方向及び周方向に位置決めする。また、蓋１３を開放して、図６（ａ）に示すように、押圧部２７をスライド操作してスイッチ操作体２４を貫通孔２５に配置させ、スイッチ操作体２４が支持バネ３２の付勢力によって押し上げられて第１端子３３が第２端子３４に当接するようにし、スイッチ２２を接続状態（オン）として発光部２１を点灯させる。
【００２３】
この状態でコンソールボックス１０の蓋１３を閉じると、貫通孔２５に配置されているスイッチ操作体２４がピン１４によって押し下げられて第１端子３３と第２端子３４とが離間した状態となり、スイッチ２２が切断状態（オフ）となって発光部２１が消灯する。反対に、蓋１３を開けると、スイッチ操作体２４が支持バネ３２によって押し上げられて第１端子３３と第２端子３４とが互いに当接する状態となり、前記のようにスイッチ２２がオンとなって発光部２１が点灯する。従って、ランプホルダ１５に固定したランプ１６を、蓋１３の開閉に応じて点灯・消灯させ、蓋１３を開いたときにのみ自動的にコンソールボックス１０内を照明することができる。
【００２４】
蓋１３を開けたままの状態で、図４に２点鎖線で示すように、両ランプホルダ１５に保持されているランプ１６をコンソールボックス１０の中央側に引っ張ると、各ランプホルダ１５の両挟持片１８ａ，１８ｂが弾性変形によって拡開し、ランプ１６が両ランプホルダ１５から取り外される。
【００２５】
ランプホルダ１５から取り外したランプ１６において、押圧部２７を直接スライド操作（オン・オフ操作）して貫通孔２５から張り出し部２６側に移動させると第１端子３３と第２端子３４とが互いに当接する状態から離間した状態に切り替わり、スイッチ２２がオンからオフとなって発光部２１が消灯する。反対に、押圧部２７を張り出し部２６側から貫通孔２５に戻すとスイッチ２２がオフからオンとなって発光部２１が点灯する。従って、ランプホルダ１５から取り外してコンソールボックス１０の外部に取り出したランプ１６を、懐中電灯として使用することができる。
【００２６】
ランプ１６をコンソールボックス１０内に戻すときには、押圧部２７をスライド操作して貫通孔２５に配置し、スイッチ２２をオンとした状態でランプ１６を両ランプホルダ１５に保持させる。これにより、ランプ１６は、再び蓋１３の開閉に応じて点灯・消灯する状態となる。
【００２７】
次に、以上詳述した本実施形態が有する効果を列記する。
（１）  この実施形態では、コンソールボックス１０内のランプホルダ１５にランプ１６を保持させた状態において、蓋１３を開閉させることでスイッチ２２が蓋１３を介してオン・オフ操作されてランプ１６が点灯・消灯する。また、ランプ１６をランプホルダ１５から取り外した状態において、スイッチ２２の押圧部２７を直接スライド操作することでスイッチ２２がオン・オフ操作されてランプ１６が点灯・消灯するようにした。従って、蓋１３を開いたときにのみコンソールボックス１０内を照明することができるとともに、コンソールボックス１０から外部にランプ１６を取り出して懐中電灯として使用することができる。
【００２８】
（２）  ランプホルダ１５に設けられた基部１７と、ランプ１６に設けられた係合凹部３６とにより、ランプホルダ１５に保持されたランプ１６を蓋１３を介してオン・オフ操作される位置に位置決めするようにした。従って、一旦取り外したランプ１６をランプホルダ１５に戻すときに、蓋１３の開閉によってランプ１６が点灯・消灯される正しい位置にランプ１６を容易に位置決めすることができるので使い勝手が良い。
【００２９】
（３）  蓋１３のピン１４と人手とによって共通にオン・オフ操作される押圧部２７により、１つのスイッチ２２がオン・オフ操作されるようにした。従って、ランプ１６に１つのスイッチ２２のみが設けられるので、ランプホルダ１５から取り外した状態においてランプ１６の点灯・消灯操作を間違えることがない。
【００３０】
次に、上記一実施形態以外の実施形態を列記する。
・  前記実施形態において、スイッチ２２の代わりに、蓋１３の開閉に伴いピン１４によってオン・オフ操作される第１スイッチと、ランプホルダ１５から取り外された状態で人手によってオン・オフ操作される第２スイッチとを別々に設けた構成とすること。この場合、電池とＬＥＤとの間に、第１スイッチと第２スイッチとを直列に設ければよい。
【００３１】
・  本発明を、グローブボックス、リヤコンソールボックス、センタークラスタに設けられた小物入れ、トランク等に設けられる照明装置として具体化すること。
【図面の簡単な説明】
【００３２】
【図１】本実施形態の照明装置を示す斜視図。
【図２】同じく斜視図。
【図３】ランプを示す斜視図。
【図４】ランプホルダを示す側面図。
【図５】（ａ）はスイッチを示す平面図、（ｂ）は同じく側面図。
【図６】（ａ）〜（ｃ）はいずれもスイッチを示す側面図。
【符号の説明】
【００３３】
１０…物入れとしてのコンソールボックス、１３…蓋、１４…ピン、１５…ランプホルダ、１６…ランプ、１７…位置決め手段としての基部、２２…第１スイッチ及び第２スイッチとしてのスイッチ、２４…スイッチ操作部としての押圧部、３６…位置決め手段としての係合部。
【図１】
2005082134.tif 000003
【図２】
2005082134.tif 000004
【図３】
2005082134.tif 000005
【図４】
2005082134.tif 000006
【図５】
2005082134.tif 000007
【図６】
2005082134.tif 000008